【手続補正書】
【提出日】平成26年10月31日(2014.10.31)
【手続補正１】
【補正対象書類名】明細書
【補正対象項目名】０１４６
【補正方法】変更
【補正の内容】
【０１４６】
調製物モータにおいて使用されるベースＡ（組成物Ｂ３を参照）のみがベースオイルおよび添加剤に対する適合性、可溶性を可能にする。
なお、本発明は、実施の態様として以下の内容を含む。
〔態様１〕
潤滑剤組成物であって、
（ａ）一種または複数種のポリアルキレングリコールベースオイルと、
（ｂ）サリチレートまたはフェネートから選択される少なくとも一種の清浄剤と
を含み、前記ポリアルキレングリコールベースオイルは、少なくとも１つのブチレンオキサイドを含む、３〜８個の炭素原子を有するアルキレンオキサイドを重合または共重合させることによって得られるポリアルキレングリコールベースオイルである、
潤滑剤組成物。
〔態様２〕
態様１に記載の潤滑剤組成物において、前記一種または複数種のポリアルキレングリコールベースオイル（ａ）は、ブチレンオキサイドとプロピレンオキサイドとの共重合体であることを特徴とする潤滑剤組成物。
〔態様３〕
態様１または２に記載の潤滑剤組成物において、前記一種または複数種のポリアルキレンベースオイル（ａ）は、少なくとも１つの８〜２０個の炭素原子を有するアルコールと、ブチレンオキサイドおよびプロピレンオキサイドの混合物とを反応させることによって得られ、
前記混合物は、ブチレンオキサイドのプロピレンオキサイドに対する質量比がブチレンオキサイド：プロピレンオキサイド＝３：１〜１：３（好ましくは３：１〜１：１）であることを特徴とする潤滑剤組成物。
〔態様４〕
態様１〜３のいずれか一態様に記載の潤滑剤組成物において、前記一種または複数種のポリアルキレングリコールベースオイル（ａ）は、前記ポリアルキレングリコールベースオイル（ａ）を得るために用いられる前記一種または複数種のアルコールが８〜１２個の炭素原子を有することを特徴とする潤滑剤組成物。
〔態様５〕
態様１〜４のいずれか一態様に記載の潤滑剤組成物において、前記一種または複数種のポリアルキレングリコールベースオイル（ａ）は、前記ポリアルキレングリコールベースオイル（ａ）を得るために用いられ得る前記一種または複数種のアルコールが一価アルコールから選択され（好ましくは２−エチルヘキサノールおよび／またはデカノールから選択され、好ましくはデカノールであ）るポリアルキレングリコールベースオイルであることを特徴とする潤滑剤組成物。
〔態様６〕
態様１〜５のいずれか一態様に記載の潤滑剤組成物において、前記一種または複数種のポリアルキレンベースオイル（ａ）は、炭素の酸素に対する質量比が炭素：酸素＝少なくとも３：１（好ましくは３：１〜６：１）であることを特徴とする潤滑剤組成物。
〔態様７〕
態様１〜６のいずれか一態様に記載の潤滑剤組成物において、ＣＥＣ  Ｌ  ４０−９３規格にしたがって測定されるノアク揮発度が１５％未満（好ましくは１３％未満）であることを特徴とする潤滑剤組成物。
〔態様８〕
態様１〜７のいずれか一態様に記載の潤滑剤組成物において、前記一種または複数種のベース（ａ）は、ＡＳＴＭ  Ｄ２５０２規格にしたがって測定されるモル質量が３００〜１，０００グラム／モル（好ましくは３５０〜６００グラム／モル）であることを特徴とする潤滑剤組成物。
〔態様９〕
態様１〜８のいずれか一態様に記載の潤滑剤組成物において、前記ポリアルキレングリコールベースは、ＡＳＴＭ  Ｄ４４５規格にしたがって測定される１００℃での動粘性率が１〜１２ｃＳｔ（好ましくは３〜７ｃＳｔ、好ましくは３．５〜６．５ｃＳｔ）であることを特徴とする潤滑剤組成物。
〔態様１０〕
態様１〜９のいずれか一態様に記載の潤滑剤組成物において、前記ポリアルキレングリコールベースオイル（ａ）が主成分であることを特徴とする潤滑剤組成物。
〔態様１１〕
態様１〜１０のいずれか一態様に記載の潤滑剤組成物において、２０〜９０％、好ましくは２５〜８５％の一種または複数種のポリアルキレングリコールベースオイル（ａ）を含むことを特徴とする潤滑剤組成物。
〔態様１２〕
態様１〜１１のいずれか一態様に記載の潤滑剤組成物において、少なくとも一種のサリチレートを清浄剤（ｂ）として含むことを特徴とする潤滑剤組成物。
〔態様１３〕
態様１〜１２のいずれか一態様に記載の潤滑剤組成物において、スルホネート系のいずれの清浄剤も含まないことを特徴とする潤滑剤組成物。
〔態様１４〕
態様１〜１３のいずれか一態様に記載の潤滑剤組成物において、
（ｃ）少なくとも一種のジチオカルバメート
を耐摩耗添加剤としてさらに含むことを特徴とする潤滑剤組成物。
〔態様１５〕
態様１〜１４のいずれか一態様に記載の潤滑剤組成物において、ジチオホスフェート系の耐摩耗添加剤（特に亜鉛ジチオホスフェート）を含まないことを特徴とする潤滑剤組成物。
〔態様１６〕
態様１〜１５のいずれか一態様に記載の潤滑剤組成物において、アミン酸化防止剤および／またはフェノール酸化防止剤をさらに含むことを特徴とする潤滑剤組成物。
〔態様１７〕
態様１〜１６のいずれか一態様に記載の潤滑剤組成物の使用であって、モータオイルとしての（好ましくは自動車のガソリンまたはディーゼルエンジン用のオイルとしての）使用。
〔態様１８〕
添加剤パッケージの使用であって、
前記添加剤パッケージは、
・サリチレートまたはフェネート（好ましくはサリチレート）から選択される少なくとも一種の清浄剤と、
・少なくとも一種のジチオカルバメート系の耐摩耗剤と、
・少なくとも一種のアミン系酸化防止剤またはフェノール系酸化防止剤と
を含み、３〜８個の炭素原子を有するアルキレンオキサイド（好ましくは少なくとも１つのブチレンオキサイド）を重合または共重合させることによって得られるポリアルキレングリコールベースを含むエンジン潤滑剤用の添加剤パッケージとしての使用。
〔態様１９〕
態様１８に記載の使用であって、前記ポリアルキレングリコールベースは、態様１〜６のポリアルキレングリコールベース（ａ）であることを特徴とする使用。
〔態様２０〕
態様１８〜１９のいずれか一態様に記載の使用であって、前記添加剤パッケージは、ジチオホスフェート系のいずれの耐摩耗剤も含まない（特に亜鉛ジチオホスフェートを含まない）ことを特徴とする使用。
〔態様２１〕
態様１８〜２０のいずれか一態様に記載の使用であって、前記添加剤パッケージは、スルホネート系のいずれの清浄剤も含まないことを特徴とする使用。
〔態様２２〕
態様１８〜２１のいずれか一態様に記載の使用であって、前記エンジン潤滑剤は、主成分として、態様１〜６のポリアルキレングリコールベース（ａ）をベースオイルとして含むことを特徴とする使用。
〔態様２３〕
態様１８〜２１のいずれか一態様に記載の使用であって、前記エンジン潤滑剤は、態様１〜６のポリアルキレングリコールベース（ａ）のみをベースオイルとして含むことを特徴とする使用。
〔態様２４〕
態様１８〜２３のいずれか一態様に記載の使用であって、前記エンジン潤滑剤は、２０〜９０％（好ましくは２５〜８５％）の態様１〜６の一種または複数種のポリアルキレングリコールベースオイル（ａ）を含むことを特徴とする使用。
〔態様２５〕
サリチレート、フェネート、ジチオカルバメート、アミン系酸化防止剤またはフェノール酸化防止剤から（好ましくはサリチレートまたはフェネートから）選択される少なくとも一種の添加剤の使用であって、少なくとも１つのブチレンオキサイドを含む、３〜８個の炭素原子を有するアルキレンオキサイドから得られるポリアルキレングリコールベースオイルの（好ましくは態様１〜６のポリアルキレングリコールベース（ａ）の）、ＣＥＣ  Ｌ  ４０−９３規格にしたがって測定されるノアク揮発度を低減するための使用。
【手続補正２】
【補正対象書類名】特許請求の範囲
【補正対象項目名】全文
【補正方法】変更
【補正の内容】
【特許請求の範囲】
【請求項１】
潤滑剤組成物であって、
（ａ）一種または複数種のポリアルキレングリコールベースオイルと、
（ｂ）サリチレートまたはフェネートから選択される少なくとも一種の清浄剤と
を含み、前記ポリアルキレングリコールベースオイルは、少なくとも１つのブチレンオキサイドを含む、３〜８個の炭素原子を有するアルキレンオキサイドを重合または共重合させることによって得られるポリアルキレングリコールベースオイルである、
潤滑剤組成物。
【請求項２】
請求項１に記載の潤滑剤組成物において、前記一種または複数種のポリアルキレングリコールベースオイル（ａ）は、ブチレンオキサイドとプロピレンオキサイドとの共重合体であることを特徴とする潤滑剤組成物。
【請求項３】
請求項１または２に記載の潤滑剤組成物において、前記一種または複数種のポリアルキレンベースオイル（ａ）は、少なくとも１つの８〜２０個の炭素原子を有するアルコールと、ブチレンオキサイドおよびプロピレンオキサイドの混合物とを反応させることによって得られ、
前記混合物は、ブチレンオキサイドのプロピレンオキサイドに対する質量比がブチレンオキサイド：プロピレンオキサイド＝３：１〜１：３であることを特徴とする潤滑剤組成物。
【請求項４】
請求項３に記載の潤滑剤組成物において、前記混合物は、ブチレンオキサイドのプロピレンオキサイドに対する質量比がブチレンオキサイド：プロピレンオキサイド＝３：１〜１：１であることを特徴とする潤滑剤組成物。
【請求項５】
請求項３〜４のいずれか一項に記載の潤滑剤組成物において、前記一種または複数種のポリアルキレングリコールベースオイル（ａ）は、前記ポリアルキレングリコールベースオイル（ａ）を得るために用いられる前記一種または複数種のアルコールが８〜１２個の炭素原子を有することを特徴とする潤滑剤組成物。
【請求項６】
請求項３〜５のいずれか一項に記載の潤滑剤組成物において、前記一種または複数種のポリアルキレングリコールベースオイル（ａ）は、前記ポリアルキレングリコールベースオイル（ａ）を得るために用いられ得る前記一種または複数種のアルコールが一価アルコールから選択されるポリアルキレングリコールベースオイルであることを特徴とする潤滑剤組成物。
【請求項７】
請求項１〜６のいずれか一項に記載の潤滑剤組成物において、前記一種または複数種のポリアルキレンベースオイル（ａ）は、炭素の酸素に対する質量比が炭素：酸素＝少なくとも３：１であることを特徴とする潤滑剤組成物。
【請求項８】
請求項１〜７のいずれか一項に記載の潤滑剤組成物において、ＣＥＣ  Ｌ  ４０−９３規格にしたがって測定されるノアク揮発度が１５％未満であることを特徴とする潤滑剤組成物。
【請求項９】
請求項１〜８のいずれか一項に記載の潤滑剤組成物において、前記一種または複数種のベース（ａ）は、ＡＳＴＭ  Ｄ２５０２規格にしたがって測定されるモル質量が３００〜１，０００グラム／モルであることを特徴とする潤滑剤組成物。
【請求項１０】
請求項１〜９のいずれか一項に記載の潤滑剤組成物において、前記ポリアルキレングリコールベースは、ＡＳＴＭ  Ｄ４４５規格にしたがって測定される１００℃での動粘性率が１〜１２ｃＳｔであることを特徴とする潤滑剤組成物。
【請求項１１】
請求項１〜１０のいずれか一項に記載の潤滑剤組成物において、前記ポリアルキレングリコールベースオイル（ａ）が主成分であることを特徴とする潤滑剤組成物。
【請求項１２】
請求項１〜１１のいずれか一項に記載の潤滑剤組成物において、２０〜９０％の一種または複数種のポリアルキレングリコールベースオイル（ａ）を含むことを特徴とする潤滑剤組成物。
【請求項１３】
請求項１〜１２のいずれか一項に記載の潤滑剤組成物において、少なくとも一種のサリチレートを清浄剤（ｂ）として含むことを特徴とする潤滑剤組成物。
【請求項１４】
請求項１〜１３のいずれか一項に記載の潤滑剤組成物において、スルホネート系のいずれの清浄剤も含まないことを特徴とする潤滑剤組成物。
【請求項１５】
請求項１〜１４のいずれか一項に記載の潤滑剤組成物において、
（ｃ）少なくとも一種のジチオカルバメート
を耐摩耗添加剤としてさらに含むことを特徴とする潤滑剤組成物。
【請求項１６】
請求項１〜１５のいずれか一項に記載の潤滑剤組成物において、ジチオホスフェート系の耐摩耗添加剤を含まないことを特徴とする潤滑剤組成物。
【請求項１７】
請求項１〜１６のいずれか一項に記載の潤滑剤組成物において、アミン酸化防止剤および／またはフェノール酸化防止剤をさらに含むことを特徴とする潤滑剤組成物。
【請求項１８】
請求項１〜１７のいずれか一項に記載の潤滑剤組成物の使用であって、モータオイルとしての使用。
【請求項１９】
添加剤パッケージの使用であって、
前記添加剤パッケージは、
・サリチレートまたはフェネートから選択される少なくとも一種の清浄剤と、
・少なくとも一種のジチオカルバメート系の耐摩耗剤と、
・少なくとも一種のアミン系酸化防止剤またはフェノール系酸化防止剤と
を含み、３〜８個の炭素原子を有するアルキレンオキサイドを重合または共重合させることによって得られるポリアルキレングリコールベースを含むエンジン潤滑剤用の添加剤パッケージとしての使用。
【請求項２０】
請求項１９に記載の使用であって、前記ポリアルキレングリコールベースは、請求項１〜７のポリアルキレングリコールベース（ａ）であることを特徴とする使用。
【請求項２１】
請求項１９〜２０のいずれか一項に記載の使用であって、前記添加剤パッケージは、ジチオホスフェート系のいずれの耐摩耗剤も含まないことを特徴とする使用。
【請求項２２】
請求項１９〜２１のいずれか一項に記載の使用であって、前記添加剤パッケージは、スルホネート系のいずれの清浄剤も含まないことを特徴とする使用。
【請求項２３】
請求項１９〜２２のいずれか一項に記載の使用であって、前記エンジン潤滑剤は、主成分として、請求項１〜７のポリアルキレングリコールベース（ａ）をベースオイルとして含むことを特徴とする使用。
【請求項２４】
請求項１９〜２２のいずれか一項に記載の使用であって、前記エンジン潤滑剤は、請求項１〜７のポリアルキレングリコールベース（ａ）のみをベースオイルとして含むことを特徴とする使用。
【請求項２５】
請求項１９〜２４のいずれか一項に記載の使用であって、前記エンジン潤滑剤は、２０〜９０％の請求項１〜７の一種または複数種のポリアルキレングリコールベースオイル（ａ）を含むことを特徴とする使用。
【請求項２６】
サリチレート、フェネート、ジチオカルバメート、アミン系酸化防止剤またはフェノール酸化防止剤から選択される少なくとも一種の添加剤の使用であって、少なくとも１つのブチレンオキサイドを含む、３〜８個の炭素原子を有するアルキレンオキサイドから得られるポリアルキレングリコールベースオイルの、ＣＥＣ  Ｌ  ４０−９３規格にしたがって測定されるノアク揮発度を低減するための使用。